(57)【要約】【課題】横臥することなく使用できて、腰部ないし背部の疲れをとり苦痛を緩和・治療できる背部押圧治療器具を提供しようとするものである。【解決手段】概ね背面を凸状に湾曲した本体部と、本体部の前面側に上下左右に離れて前方にそれぞれ突出した突起部材と、各突起部材の先側に一体又は別体に設けた丸み端面を有する押圧部と、を含み、下側突起部材が上側突起部材より長く突出させて成り、椅子に腰掛けた身体の腰部ないし背部と椅子背受け部との間に介在させて、身体の腰部ないし背部を押圧部により押圧する。押圧部は、各突起部材の先側に一部が露出するように固定された又は回動可能な球体が利用できる。【選択図】  図１
2004215916.tif 000002
【特許請求の範囲】
【請求項１】
概ね背面を凸状に湾曲した本体部と、本体部の前面側に上下左右に離れて前方にそれぞれ突出した突起部材と、各突起部材の先側に一体又は別体に設けた丸み端面を有する押圧部と、を含み、下側突起部材が上側突起部材より長く突出させて成り、椅子に腰掛けた身体の背部と椅子背受け部との間に介在させて、身体の背部を押圧部により押圧するようにした背部押圧治療器具。
【請求項２】
押圧部が、各突起部材の先側に一部が露出するように固定又は回動可能に配置した球体である請求項１に記載の背部押圧治療器具。
【請求項３】
押圧部が、各突起部材の先側にバネを介して嵌め入れた先端球面を有する筒体である請求項１に記載の背部押圧治療器具。
【発明の詳細な説明】
【０００１】
【発明の属する技術分野】
本発明は、背部押圧治療器具に関し、特に、椅子に腰掛けた状態で身体の背部と椅子の背受け部との間において使用するに適した治療器具に関する。
【０００２】
【従来の技術】
古くより、背部に部分的に押圧する按摩治療器は、知られており、例えば、古くは、特許文献１に開示のように、基台上に４つの筒体を設け、筒体上部に切頭円錐体の押圧部を傾動可能に収容下もので、使用に際しては、床上に器具を、上記の筒体が上方に突出するように、置き、身体は、上記押圧部の上に仰向けに横臥して、身体の首筋の両側に押圧部を位置付けて加圧し、按摩するものであった。
【０００３】
このような器具は、押圧部にバネにより弾性付勢された突出した半球状にしたものも知られており、仰向けに横臥して、切意の両側部位をバネ力により適度に加圧して、脊椎矯正器具としていた。
【０００４】
【特許文献１】
特許第１７４７５４号（第一図ないし第三図参照）
【０００５】
【発明が解決しようとする課題】
この従来技術は、押圧部に体重をかけて首筋両側に刺激を与えるものであるが、この器具は、使用に際して、使用者は横臥する必要があったが、横臥するまでもなく簡便に使用できて、且つ、首筋肩部の苦痛、肩こりから、背部の筋肉痛や、腰部の苦痛等に対して広く治療効果を含む器具が必要であった。
【０００６】
さらに、上記従来の器具は、横臥して突起部材に体重を掛けすぎる返って背中に苦痛を伴ない、加圧の程度を調節するには身体を緊張させて浮かす必要があり、使用者には使い難いことがあった。さらに、この器具を脊椎部付近に使用している間にそのまま眠ってしまうと、押圧部を介して体重からの大きな局部的な荷重が脊椎部にかかり、危険を伴なうこともあった。
【０００７】
本発明は、上記難点に鑑み、横臥することなく使用できて、特に、腰部から背部ないし首筋に至る筋肉の疲労や苦痛を緩和軽減し・治療できる背部押圧治療器具を提供しようとするものである。
【０００８】
【課題を解決するための手段】
本発明の背部押圧治療器具は、背面を凸状に湾曲した本体部と、本体部の前面側に上下左右に離れて前方にそれぞれ突出した４つの突起部材と、各突起部材の先側に一体又は別体に設けた丸み端面を有する押圧部と、を含み、下側突起部材を上側突起部材より長く突出させて成るものあり、器具は、椅子上に腰掛けて身体の背部と椅子背受け部との間に介在させて、身体の背部を押圧部により押圧するようにしたものである。
【０００９】
本発明において、治療器具が適用される身体の背部には、腰部、背部から上方の首筋ないし頭部下部までの範囲を含むものとし、この治療器具を身体の背部と椅子背受け部との間にあって、身体の腰部、背部ない首筋の適当位置に適宜移動させ、身体を適度に後方に傾斜するなど椅子に対して身体姿勢を調節して、治療器具の４つの突起部材の押圧部によって、身体の所望部位を押圧することができる。通常は、左右に分れた突起部材が、脊椎や腰椎を跨って両側の部位を押圧し、また上下に分れた突起部材が、上下２個所に背部を押圧すると共に、突起部材により、治療器具を安定化させることができる。押圧部による背部の押圧が、身体背部に対する指圧効果やマッサージ効果を通じて、筋肉をほぐし、血流を高め、筋肉痛や腰痛を軽減、緩和し治癒することができる。
【００１０】
【発明の実施の形態】
この治療器具は、本体部が、その背面側に凸状に湾曲し、前面部には、上下左右に離れて前方にそれぞれ突出した４つの突起部材を固定するものである。使用中は、本体部の背面が椅子の背部に当接して支持されて、４つの突起部材の押圧部が身体の腰部ないし背部に当接して押圧するが、この際、背面が湾曲しているので、本体部は、曲面に沿ってある程度は転動ないし傾動して、突起部材の突出方向を調節することができる。
【００１１】
本体部は、その背面の湾曲した面に、縦方向に凹凸部を形成して、凹凸状の滑り止めを施すのが使い勝手を良くするので、好ましい。
【００１２】
本体部は、特に、前面に上記突起部材が固定され、背面に湾曲面を備えておれば、その形状は、特に限定されないが、例えば、上記４つの突起部材を４角に有す概ね矩形状にすることができる。あるいは、本体の別の形状は、２つの縦支持部材を、間隔材（又は、接合部材）により離間して固定してもよい。この場合は、上記突起部材は、各縦支持部材に突端から折り曲げられてそれぞれ前方に突出するような配置でもよい。この場合は、本体は、該して、Ｈ型形状となる。
【００１３】
４つの突起部材は、本体部の前面側から上下左右に離れて、４角形の角部を成すように前方にそれぞれ突出しており、押圧部の間隔は、その丸み端面が身体の脊椎ないし腰椎の両側に当圧するように、又上下の各突起部材の間隔が適当になるように設定されている。
【００１４】
４つの突起部材は、下側突起部材を、上側突起部材より長く突出させて、構成され、椅子への通常の使用の形態では、椅子の背受け部に腰掛けたとき、身体の通常の姿勢で、下側突起部材が身体の背部の下側を押圧し、同時に上側突起部が腰部の上側を押圧し、身体は楽に安静した姿勢をとることができる。さらに、この器具を腰部より上の背部について使用することもできる。このような寸法関係を有する下側突起部材と上側突起部材とは、上下反転して、長くされた下側突起部材を首筋又は肩部に当て、相対的に短くされた上側突起部材を肩部より下側の背部に当てることもでき、椅子に対して身体の通常の腰掛けた姿勢によって、首筋から肩部ないし背部に至る部位を押圧するのに好適に利用することができる。
【００１５】
押圧部は、丸み端面を有し、突起部材の先側に一体又は別体に設けており、丸み端面が脊椎の両側部位を押圧するものである。一体の突起部材は、一体とするときは、突起部材の先端を丸く成型してもよい。
【００１６】
押圧部は、また、別体に成形して、例えば、球体を、突起部材の先端に固定することもできる。この場合、各突起部材の先側に一部が露出して、回転可能に固定するのが良い。押圧部の球体は、押圧部と身体との相対的な動きに対しても転がることにより、容易に身体衣服との摩擦を減じて、身体部位への位置付け、特に、使用者自ら身体を動かして、壺部位などへの微妙な位置決めを容易にする。
【００１７】
押圧部は、各突起部材の先側にバネを介して嵌め入れた先端球面を有する筒体を利用することもできる。押圧部は、バネ力を利用して、適度の押圧力を腰部背部に加えることができる。
【００１８】
本体部及び各突起部材は、金属、例えば、アルミニウム合金、チタン合金、ステンレス鋼など、で形成されても良いが、好ましくは、硬質の合成樹脂で成形され、例えば、硬質ポリ塩化ビニル、ポリアクリル、ポリエステル、ポリウレタン等が、成形容易で、軽量で、比較的強度の高いので、利用できる。これに対して、押圧部に、球体を使用する場合には、球体は、硬質のゴムや樹脂、金属から成形したものが利用でき、金属の球体は、例えば、ステンレス鋼やアルミニウム合金を用いることができる。
【００１９】
【実施例】
実施例の器具を図１に示すが、図１及び図２（Ａ、Ｂ）において、本体１は、左右に区分されて左右の縦支持部材１ａ、１ｂと、その間を接合部材１ｃにより一体に接合された構造となり、両側の縦支持部材１ａ、１ｂの上部には、それぞれ突起部材２１ａ、２１ｂが前方に向けて突設され、縦支持部材１ａ、１ｂの下部には、同様に、突起部材２２ａ、２２ｂが前方に向けて、配置されている。
【００２０】
この実施例は、接合部材１ｃは、左右の縦支持部材１ａ、１ｂの間を固定するもので、縦支持部材１ａ、１ｂより薄く、且つ、短くされた板状を成している。
【００２１】
ており、左右の縦支持部材１ａ、１ｂは適度の間隔を設けている。この例は、本体と突起部材とは、硬質の合成樹脂から一体に作られている。
【００２２】
本体１は、この例は、図２（Ｂ）に示すように、背面１０が後方に凸状に湾曲しており、この例は、本体１全体が、後方に向けて曲げられている。さらに、本体１は、背面１０を凹凸にして、凹凸部１９を設けている。本体１の背面１０は、使用時には、椅子に背受け部に支持され、凹凸部１９は、背受け部での滑りを防止して、安定化する。
【００２３】
突起部材２は、下側突起部材２２ａ、２２ｂが上側突起部材２１ａ、２１ｂより長く突出されており、これにより、椅子の背受け部に対して突起部材２の押圧部３を身体の腰部に当てたとき、自然な背もたれの姿勢で、下側と上側との突起部材２１、２２の各押圧部３が、腰部とその上部位置に適切に位置付けできて、適度に押圧できる利点がある。
【００２４】
特に、これら下側突起部材２２ａ、２２ｂの先側が、この例では、本体１の底部２３に対して若干上向きにされている。一例は、底部２３の延長線に対する下側突起部材２２ａ、２２ｂの先側外周の底部の成す角度を５〜２０°とすることが好ましい。下側突起部材２２ａ、２２ｂを上向きにすることにより、この器具を椅子の背受け部と座部との角に置いたときに、押圧部３を身体腰部の適切な位置に適切な角度で、押圧することができる。
【００２５】
各突起部材２（２１ａ、２１ｂ、２２ａ、２２ｂ）の先端部には、押圧部３として球体７が設けてあり、球体７の一部ないし半分が前方に露出して、残部が、突起部材の先端ソケット６１中に埋設されている。球体７は、この例では、突起部材２内で回転できるように、先端のソケット部６１内にに緩く埋設してある。これら球体７は転動しながら、身体と器具との間の適度な滑りを付与し、身体表面の微妙な壺等に難なく位置付けすることができる。
【００２６】
押圧部３の球体７は、ステンレス鋼製の球体７が利用され、製造に際しては、図２（Ａ）に示すが、射出成形用の金型（不図示）を使用して、その突起部材の成形キャビティー内に、先端部に皿５１を有する樹脂棒５を配設し、その皿５１と成形型との間に上記ステンレス鋼の球体７を配置した後、金型内に、樹脂液を射出充填して、硬化後に型ばらしをすれば、樹脂棒５と充填樹脂６と一体化し、先端部のソケット６１の内側に、球体が回転可能に、保持することができる。
【００２７】
図３（Ａ）と（Ｂ）は、図２に示す器具の左右の縦支持部材１ａ、１ｂとその間を接合部材１ｃとを一体に形成した本体部の断面を示す。この図からも上側突起部に対して下側突起部を長くされていることが分る。
【００２８】
図４と図５は、この実施形態の治療器具の使用の態様を示すものであるが、図４は、本装置の本体部１をその背面部１０が、椅子９の背受け部９１の下部９２に接するようにして、身体の腰部と背部とを、それぞれ、上記下側と上側の突起部材２２、２１  により、相対的に短くした上側の突起部材２１と、相対的に長く突出するようにした下側の突起部材２２と、により押圧するものである。上下の突起部材２１、２２に長短の長さ差を設けることにより、身体を適度に後方に傾斜させて、楽な姿勢で、腰部、背部ないし首筋に適当な押圧を受けることができる。
【００２９】
図５は、この実施形態の他の使用例を示すもので、この治療器具の上下の突起部材２１、２２を上下反転して使用する例を示すが、治療器具は、本体部１を、上下反転して、その背面部１０が、椅子９の背受け部９１の上部９３に接するようにして、相対的に長く突出するようにした下側の突起部材２２と、相対的に短くした上側の突起部材２１と、により、身体の肩部付け根部と背部上部とを、それぞれ押圧するものである。多くの人にとって肩部付け根部ないし首筋は背部より前側にあることが多く、従って、これらの部位へは、相対的に長くした上記下側の突起部材２２を上方に反転して、背受け部９１の上部９３に対して、使用することができる。
【００３０】
上記図４及び図５の例では、床面に対して座面９０が比較的高い椅子に適用した例であるが、勿論、本発明の背部押圧治療器具は、家庭用の安楽椅子、長椅子、あるいは座椅子などに対しても広く適用することができる。また、事情が許せば、自動車内の座席を利用して、本発明の器具を用いることもできる。
【００３１】
なお、図３の例は、本体部の接合部材１ｃの背面１０側が上下に渡って凹み溝１８が形成されて、上記の凹凸部１９、１９は、凹み溝１８の両側に配置されている。この態様の器具は、使用時に器具を前後反転して、上記の４つの突起部２１、２２を椅子９の背受け部９１に当てて、他方の本体１の背面１０側を、身体の背部に当てて使用するもので、この際、上記の凹み溝１８が身体の脊椎に接触しないで、その左右に分れた上記の凹凸部１９、１９が、脊椎の両側にある背筋部位を押圧することになる。この凹凸部１９にはも縦方向に延びる小さい突起列を有し、その背部の当該部位に、上記突起部の押圧部とは違った感触を付与することができ、筋肉痛の緩和などに有効である。
【図面の簡単な説明】
【図１】本発明の実施形態に係る背部押圧治療器具の斜視図である。
【図２】本発明の実施形態に係る背部押圧治療器具の正面図（Ａ）と側面図（Ｂ）とを示す。
【図３】本発明の実施形態に係る背部押圧治療器具の横断面図であって、（Ａ）と、（Ｂ）とは、それぞれ、図２（Ｂ）中の矢示Ａ−Ａと、Ｂ−Ｂと、に、沿った断面を示している。
【図４】本発明の実施形態に係る背部押圧治療器具の使用の態様を示す側面図ある。
【図５】本発明の実施形態に係る背部押圧治療器具の使用の別の態様を示す側面図である。
【符号の説明】
１  本体
１ａ、１ｂ  縦部材
１０  背面部
１１  前面部
１８  凹み溝
１９  凹凸部
２  突起部
２１  上側突起部材
２２  下側突起部材
３  押圧部
７  球体
【図１】
2004215916.tif 000003
【図２】
2004215916.tif 000004
【図３】
2004215916.tif 000005
【図４】
2004215916.tif 000006
【図５】
2004215916.tif 000007